(57)【要約】【課題】長期間使用しても十分に蒸れ防止機能を発揮する蒸れ防止機能付き中敷及びそれを備えた靴及びスリッパを提供することを目的とする。【解決手段】靴中に載置される足形に形成された中敷２０であって、足形に形成され、踵側と前方部に複数の小穴４が形成された上層部１１と、足形の前後方向に設置され、小穴４に対応する位置に複数の空気穴５が穿孔された断面が楕円形状の複数のチューブ１２ａからなる中層部１２と、格子状に織られたメッシュ布を前記足形に形成した下層部１３と、から構成され、複数のチューブ１２ａが所定の間隔を保持するように上層部１１、中層部１２及び下層部１３が縫製されて成ることを特徴とする蒸れ防止機能付き中敷。【選択図】図４
2014233586.tif 000002
【特許請求の範囲】
【請求項１】
靴中に載置される足形に形成された中敷であって、
前記足形に形成され、踵側と前方部に複数の小穴が形成された上層部と、
前記足形の前後方向に設置され、前記小穴に対応する位置に複数の空気穴が穿孔された断面が楕円形状の複数のチューブからなる中層部と、
格子状に織られたメッシュ布を前記足形に形成した下層部と、から構成され、
前記複数のチューブが所定の間隔を保持するように前記上層部、前記中層部及び前記下層部が縫製されて成ることを特徴とする蒸れ防止機能付き中敷。
【請求項２】
前記中層部の複数のチューブの１つが、踵部から足側部の周縁部に沿うようにＵ字形状に形成され、前記Ｕ字形状に形成されたチューブの断面積が、他のチューブの断面積よりも大きいことを特徴とする請求項１記載の蒸れ防止機能付き中敷。
【請求項３】
前記上層部が、皮革部材またはスポンジ材で構成されていることを特徴とする請求項１または２に記載の蒸れ防止機能付き中敷。
【請求項４】
前記複数のチューブの断面形状が、台形形状であることを特徴とする請求項１乃至３のいずれか１項に記載の蒸れ防止機能付き中敷。
【請求項５】
請求項１乃至４のいずれか１項に記載の蒸れ防止機能付き中敷を有する靴であって、前記靴のつま先部と踵部に空気穴を有することを特徴とする靴。
【請求項６】
請求項１乃至４のいずれか１項に記載の蒸れ防止機能付き中敷をスリッパ底としたことを特徴とするスリッパ。
【発明の詳細な説明】
【技術分野】
【０００１】
本発明は、靴内の足裏に空気を吐出させることで蒸れを防止する蒸れ防止機能付き中敷及びそれを備えた靴及びスリッパに関する。
【背景技術】
【０００２】
足裏の蒸れを防止するために靴内の空気を換気する機能を有する靴または中敷として、従来から足裏の蒸れ防止機能付き中敷が市販されている。また、本出願人は例えば特許文献１において、蒸れ防止機能付き中敷に関する技術を開示している。特許文献１の蒸れ防止機能付き中敷について説明する。
【０００３】
図９（ａ）は特許文献１に係る蒸れ防止機能付き中敷（以下、中敷と記す）１０で、足形に形成された中敷１０は、図９（ｂ）に示すように三層構造を有している。中敷１０の構成は、皮或いは人口皮の表皮１ａで形成した上層部１と、直径が約６〜８ｍｍの樹脂製の弾力のあるチューブ２ａを並べて配置した中層部２と、通気性のあるメッシュ布３ａで形成した下層部３からなり、これら三層が中層部２を形成する其々のチューブ２ａを離すように縫製糸６で縫製した構成となっている。
【０００４】
中敷１０の上層部１の表皮１ａには、隔離されたチューブ２ａに沿って、踵側と指先側に穿孔された複数の小穴４が形成され、中敷１０の上層部１と下層部３との通気性を確保している。
【０００５】
中層部２のチューブ２ａには、踵と指の付根に相当する位置に各々数か所の空気穴５が穿孔され、該空気穴５は対向する表皮１ａの小穴４と位置が一致するように形成されている。中空構造のチューブ２ａには外径が６ｍｍ、内径が４ｍｍのシリコンなどの樹脂製のチューブ２ａを採用し、歩行により押し潰されても元の形状に復元する強い弾性を備えた樹脂素材で形成されている。
【０００６】
下層部３のメッシュ布３ａは、合成繊維で格子状に織られたメッシュ布３ａを使用することで、靴底３１（図１０）との適度な摩擦により歩行時に中敷１０が滑ることが無く足を確実に保持する機能と、空気を循環させて中敷１０の通気性を高める機能を備えている。
【０００７】
更に、中敷１０の下層部３をメッシュ布３ａで形成することで、上層部１を形成する表皮が吸収した足裏の水分を拡散させて中敷１０が湿気を帯びることを防ぐことができる。
【先行技術文献】
【特許文献】
【０００８】
【特許文献１】実用新案登録第３１６６２３６号公報
【発明の概要】
【発明が解決しようとする課題】
【０００９】
しかし、特許文献１の蒸れ防止機能付き中敷には以下のような課題があった。
【００１０】
すなわち、図１０に示すように中敷を継続して使用すると、中層部２のチューブ２ａが上層部１と下層部３に挟まれた空間内で蛇行してしまい、チューブ２ａの空気穴５の位置が上層部１の小穴４の位置からずれてしまう。図１０（ａ）中敷１０を使用した状態の横断面図であり、図１０（ｂ）はチューブ２ａが蛇行する前の状態を、図１０（ｃ）はチューブ２ａが蛇行した後の状態を示す図である。その結果、足裏側の空気を充分に循環させることができず、十分な蒸れ防止機能を発揮できないという課題があった。これは、チューブ２ａの断面の形状が円形であり、上層部１と下層部３の間の隙間を移動してしまうことに起因するものと考えられる。
【００１１】
本発明は、上記課題を解決するためになされたものであり、長期間使用しても十分に蒸れ防止機能を発揮する蒸れ防止機能付き中敷及びそれを備えた靴及びスリッパを提供することを目的とする。
【課題を解決するための手段】
【００１２】
本発明は、上記課題を解決するため以下の構成を有する。
【００１３】
（１）靴中に載置される足形に形成された中敷であって、
前記足形に形成され、踵側と前方部に複数の小穴が形成された上層部と、
前記足形の前後方向に設置され、前記小穴に対応する位置に複数の空気穴が穿孔された断面が楕円形状の複数のチューブからなる中層部と、
格子状に織られたメッシュ布を前記足形に形成した下層部と、から構成され、
前記複数のチューブが所定の間隔を保持するように前記上層部、前記中層部及び前記下層部が縫製されて成ることを特徴とする蒸れ防止機能付き中敷。
【００１４】
（２）前記中層部の複数のチューブの１つが、踵部から足側部の周縁部に沿うようにＵ字形状に形成され、前記Ｕ字形状に形成されたチューブの断面積が、他のチューブの断面積よりも大きいことを特徴とする前記（１）記載の蒸れ防止機能付き中敷。
【００１５】
（３）前記上層部が、皮革部材またはスポンジ材で構成されていることを特徴とする前記（１）または（２）に記載の蒸れ防止機能付き中敷。
【００１６】
（４）前記複数のチューブの断面形状が、台形形状であることを特徴とする前記（１）乃至（３）のいずれか１項に記載の蒸れ防止機能付き中敷。
【００１７】
（５）前記（１）乃至（４）のいずれか１項に記載の蒸れ防止機能付き中敷を有する靴であって、前記靴のつま先部と踵部に空気穴を有することを特徴とする靴。
【００１８】
（６）前記（１）乃至（４）のいずれか１項に記載の蒸れ防止機能付き中敷をスリッパ底としたことを特徴とするスリッパ。
【発明の効果】
【００１９】
本発明によれば、長期間使用しても十分に蒸れ防止機能を発揮する蒸れ防止機能付き中敷及びそれを備えた靴及びスリッパを提供することができる。
【図面の簡単な説明】
【００２０】
【図１】実施例１の蒸れ防止機能付き中敷の構成を示す図
【図２】実施例１の蒸れ防止機能付き中敷の他の構成を示す図
【図３】実施例１の楕円断面チューブ及び台形断面チューブの中層部を示す図
【図４】実施例１の蒸れ防止機能付き中敷の使用状態を示す図
【図５】実施例１の他の蒸れ防止機能付き中敷の使用状態を示す図
【図６】実施例１の蒸れ防止機能付き中敷内の空気の流れを示す図
【図７】実施例２の蒸れ防止機能付きスリッパを示す図
【図８】実施例３の蒸れ防止機能付き中敷を用いた靴を示す図
【図９】従来の蒸れ防止機能付き中敷の構成を示す図
【図１０】従来の蒸れ防止機能付き中敷の使用状態及びチューブの蛇行状態を示す図
【発明を実施するための形態】
【００２１】
本発明を実施するための形態を、図面を参照しつつ以下に説明する。
【実施例１】
【００２２】
［蒸れ防止機能付き中敷の構成］
本実施例の蒸れ防止機能付き中敷（以下、中敷という）は、従来の中敷のチューブ２ａの蛇行による問題、すなわち小穴４と空気穴５の位置ずれの問題を解決するため楕円断面チューブ１２ａを採用したことを特徴とする。図１は、本実施例の蒸れ防止機能付き中敷の構成を示す図である。基本的な構成は、従来の中敷１０と同様である。即ち、上層部１１、中層部１２及び下層部１３から構成されており、これらは縫製糸６により縫製されて仕上げられる。図１では、上層部１１は皮革材であり、下層部１３はメッシュ材を使用している。メッシュ材を下層部１３に採用することにより、足裏の汗の乾燥を促進することができる。また、皮革材を上層部１１に採用することにより、例えば中敷２０を革靴に使用した場合に、靴の高級感を維持することができる。
【００２３】
中層部１２は、断面が楕円形状の複数の楕円断面チューブ１２ａにより構成されている。この断面形状のチューブを採用することにより使用時の蛇行を防止することができる。このことについては、後に詳細に述べる。なお、上層部１１には小穴４が、楕円断面チューブ１２ａには空気穴５が複数開けられているのは従来の中敷１０と同様である。
【００２４】
図２は、上層部１４がスポンジ材で、下層部１５が図１の下層部１３よりも更に目の細かいメッシュ材で構成された中敷２１を示している。この中敷２１は、例えば陸上競技の走者が履く運動靴に使用される。上層部１４をスポンジ材とすることで足の衝撃を吸収することができる。なお、中層部１２が楕円断面チューブ１２ａにより構成されている点は、図１の中敷２０と同様である。
【００２５】
図３（ａ）は、中敷の周縁部のチューブのみを、径の大きな楕円断面チューブ１２ｂで構成した場合を示している。このように中敷の周縁部のチューブの径を大きくすることで、踵の後方から足の側部を刺激することができ、より履き心地の良い中敷とすることができる。図３（ｂ）は、チューブに台形形状の断面を有する台形断面チューブ１６ａ，１６ｂを採用した場合の例を示す。このように、底面が平坦な台形断面を採用することで、一層チューブの蛇行を防止することができる。なお、図３（ｂ）において、断面積の小さい台形断面チューブ１６ａのみで中層部を構成してもよい。
【００２６】
［蒸れ防止機能付き中敷の使用状態］
図４（ａ）は楕円断面チューブ１２ａのみを用いた中敷２０の使用状態を、図４（ｂ）は楕円断面チューブ１２ａと断面積の大きい楕円断面チューブ１２ｂを用いた中敷の使用状態を示している。図４（ａ）、（ｂ）から分かるように、チューブの断面を楕円形状とすることでチューブを上層部と下層部の間で安定的に拘束することができ、その結果チューブの蛇行が防止され小穴４と空気穴５の位置ずれがなくなり、蒸れ防止機能が十分に発揮される。また、図４（ｂ）に示したように中敷の周縁部を断面積の大きい楕円断面チューブ１２ｂで構成することで、非常に履き心地の良い中敷とすることができる。
【００２７】
図５（ａ）は台形断面チューブ１６ａのみを用いた中敷の使用状態を、図５（ｂ）は台形断面チューブ１６ａと断面積の大きい台形断面チューブ１６ｂを用いた中敷の使用状態を示している。図５（ａ）、（ｂ）から分かるように、チューブの断面を台形形状とすることでチューブを上層部と下層部の間でより安定的に拘束することができ、その結果チューブの蛇行が防止され小穴４と空気穴５の位置ずれがなくなる。また、図５（ｂ）に示したように中敷の周縁部を断面積の大きい台形断面チューブ１６ｂで構成することで、非常に履き心地の良い中敷とすることができる。
【００２８】
［蒸れ防止機能付き中敷内の空気の流れ］
図６の断面図で、歩行時における中敷２０の作用を説明する。歩行の際、図６（ａ）に示すように踵が着地して足裏の踵から指先に向かって体重が移動すると、中空構造のチューブ１２ａ内の空気の動きは踵側から指先方向に向かって圧縮される。図６（ｂ）に示す圧縮された空気の塊は、チューブ１２ａ先端に向かって移動し、図６（ｃ）に示す指先で地面を蹴る動作で、チューブ１２ａの先端に穿孔された空気穴５から中敷２０の上層部１１の小穴４を介して指付根の間の隙間に圧縮された空気が放出される。
【００２９】
この空気穴５から放出された圧縮空気により指周辺に空気の流れが発生し、指と指との間の発汗による湿度を低下させ蒸れを防止すると共に、雑菌による臭いの発生を抑えることができる。また中敷２０の下層部１３をメッシュ布で形成することで、上層部１１を形成する表皮が吸収した足裏の水分を拡散させて中敷２０が湿気を帯びることを防止し、足裏の蒸れを防ぐ効果を発揮している。
【００３０】
更に、足裏全体をチューブ１２ａの波形状の凹凸と、歩行によりチューブ１２ａ内の圧縮空気の塊が移動することで足裏全体を刺激する指圧効果を発揮し疲労の軽減と回復が可能となる。
【００３１】
以上、本実施例によれば、長期間使用しても十分に蒸れ防止機能を発揮する蒸れ防止機能付き中敷を提供することができる。
【実施例２】
【００３２】
［蒸れ防止機能付きスリッパ］
本実施例は、実施例１で述べた中敷２０を使用してスリッパ４０とした例である。図７は、このスリッパの外観を示す図である。このスリッパは、中敷２０を中敷として用いずスリッパ底として使用している。このスリッパを履けば、芝生の上を踏み歩く感覚を体感することができる。
【００３３】
本実施例によれば、足裏を刺激して履き心地がよく、かつ足の蒸れを防止することができるスリッパを提供することができる。
【実施例３】
【００３４】
［蒸れ防止機能付き中敷を用いた靴］
図８は、実施例１で説明した中敷を用いた靴の外観と内部構造を示す図である。図８（ａ）に示したように、本実施例の靴は、靴の前側に前方空気穴３０ａを、靴の後側に後方空気穴３０ｂを有している。勿論、これらの空気穴を有しない靴に本発明の中敷を使用することができることは言うまでもない。
【００３５】
図８（ｂ）に示したように、後方空気穴３０ｂから入った外気は小穴４，空気穴５を通過した後チューブ１２ａを通る。その後、前方の空気穴５，小穴４を通り前方空気穴３０ａから外部に排出される。このように外気を積極的に靴内部を通過させることで、より一層中敷の蒸れ防止機能を発揮させることができる。
【００３６】
本実施例によれば、足裏を刺激して履き心地がよく、かつ足の蒸れを防止することができる蒸れ防止機能付き中敷を用いた靴を提供することができる。
【符号の説明】
【００３７】
４              小穴
５              空気穴
６              裁縫糸
１１，１４      上層部
１２            中層部
１２ａ，１２ｂ  楕円断面チューブ
１３，１５      下層部
１６ａ，１６ｂ  台形断面チューブ
２０，２１      蒸れ防止機能付き中敷
３０            靴
３０ａ          前方空気穴
３０ｂ          後方空気穴
３１            靴底
４０            蒸れ防止機能付きスリッパ
【図１】
2014233586.tif 000003
【図２】
2014233586.tif 000004
【図３】
2014233586.tif 000005
【図４】
2014233586.tif 000006
【図５】
2014233586.tif 000007
【図６】
2014233586.tif 000008
【図７】
2014233586.tif 000009
【図８】
2014233586.tif 000010
【図９】
2014233586.tif 000011
【図１０】
2014233586.tif 000012